(57)【要約】本発明は、ラックまたはエンクロージャに用いられる枠組であって、少なくとも１つの枠辺部（２，３）またはマウンティングプロファイル（４）と組み合わされた電化装置が設けられていて、該電化装置が、該電化装置に接続可能な器具に対して電流を供給しかつ／または導出するために働く形式のものに関する。電化装置が、枠辺部（２，３）またはマウンティングプロファイル（４）に取り付けられた少なくとも１つの別個の電化ストリップ（６０）を有しており、該電化ストリップ（６０）が、少なくとも１つの長辺側で少なくとも所定の区分毎に開いた中空の収容プロファイル（６）から形成されており、該収容プロファイル（６）に設けられた、少なくとも１つの中空室（６．３）内にバスバー（１０）または接続線路（１６）が感電防止されて導入されており、さらに前記電化ストリップ（６０）内に挿入されたか、または挿入可能であるインサート（７）が設けられており、該インサート（７）が、接続したい器具の器具コネクタプラグのための感電防止されたプラグソケットと、前記バスバー（１０）または接続線路（１６）と電気的にコンタクトさせられたか、またはコンタクト可能であるコンタクトエレメント（７．１１）とを有していることにより、電気的な器具のための簡単でかつ規定された電気的な接続可能性が可能となる。
2006512889.tif 000002
【特許請求の範囲】
【請求項１】
ラックまたはエンクロージャに用いられる枠組であって、少なくとも１つの枠辺部（２，３）またはマウンティングプロファイル（４）と組み合わされた電化装置が設けられていて、該電化装置が、該電化装置に接続可能な器具に対して電流を供給しかつ／または導出するために働く形式のものにおいて、電化装置が、枠辺部（２，３）またはマウンティングプロファイル（４）に取り付けられた少なくとも１つの別個の電化ストリップ（６０）を有しており、該電化ストリップ（６０）が、少なくとも１つの長辺側で所定の区分毎に開いた中空の収容プロファイル（６）から形成されており、該収容プロファイル（６）に設けられた、少なくとも１つの中空室（６．３）内にバスバー（１０）または接続線路（１６）が感電防止されて導入されており、さらに前記電化ストリップ（６０）内に挿入されたか、または挿入可能であるインサート（７）が設けられており、該インサート（７）が、接続したい器具の器具コネクタプラグのための感電防止されたプラグソケットと、前記バスバー（１０）または接続線路（１６）と電気的にコンタクトさせられたか、またはコンタクト可能であるコンタクトエレメント（７．１１）とを有していることを特徴とする、電化装置を備えた枠組。
【請求項２】
前記収容プロファイル（６）の前記少なくとも１つの中空室（６．３，６．３′）内に絶縁プロファイル（９）が挿入されており、該絶縁プロファイル（９）内にバスバー（１０）が埋め込まれており、該バスバー（１０）が、前記絶縁プロファイル（９）に形成された接近開口（９．２３）を介して感電防止されて接近可能である、請求項１記載の枠組。
【請求項３】
前記中空室（６．３）が横断面方形または横断面正方形に成形されていて、開いた長辺側に向かい合って位置するベース壁（６．２）と、該ベース壁（６．２）に隣接した側壁（６．１）とを有しており、前記絶縁プロファイル（９）の、バスバー（１０）を埋め込んだ基部区分の基面（９．３）が、前記ベース壁（６．２）または一方の側壁（６．１）に向けられており、バスバー（１０）が、前記基部区分で前記基面とは反対の側に導入された、感電防止のために小幅に形成された接近開口（９．２３）を介してコンタクトエレメント（７．１１）とコンタクト可能である、請求項２記載の枠組。
【請求項４】
前記絶縁プロファイル（９）が、該絶縁プロファイル（９）に配置された係止構造体（９．２１，９．２２，９．２２′）と、該係止構造体に対して相補的な、前記収容プロファイル（６）に配置された係止対応構造体（６．１１，６．１１′）とによって前記収容プロファイル（６）内に固定されている、請求項２または３記載の枠組。
【請求項５】
前記係止構造体（９．２１，９．２２，９．２２′）および前記係止対応構造体（６．１１，６．１１′）が、挿入方向とは反対の方向に急峻な勾配を有する係止フランクを有していて、前記絶縁プロファイル（９）が破壊なしには取出し不可能である、請求項４記載の枠組。
【請求項６】
前記絶縁プロファイル（９）が、互いに絶縁された複数の長手方向室内にバスバー（１０）を収容する絶縁プロファイル下側部分（９．１）と、バスバー（１０）をカバーする、前記接近開口（９．２３）を有する絶縁プロファイル上側部分（９．２）とから組み立てられている、請求項２から５までのいずれか１項記載の枠組。
【請求項７】
前記接近開口（９．２３）が、インサート（７）１つ当たり、それぞれ別個のバスバー（１０）に対応する少なくとも２つの孔状の接近開口のグループから形成されている、請求項２から６までのいずれか１項記載の枠組。
【請求項８】
少なくとも２つの接近開口（９．２３）が、前記絶縁プロファイル（９）の長手方向で互いにずらされている、請求項７記載の枠組。
【請求項９】
コンタクトエレメントが、前記接近開口（９．２３）の大きなおよび位置に適合されたコンタクトピン（７．１１）として形成されている、請求項２から８までのいずれか１項記載の枠組。
【請求項１０】
インサート（７）が係止エレメント（７．１４，７．１４′）を備えており、該係止エレメントを用いてインサート（７）が、前記収容プロファイル（６）または前記絶縁プロファイル（９）に形成された係止対応エレメント（６．１２，９．４）内に、破壊なしには取出し不可能となるように、あるいは工具または当該係止結合を解除する操作部（７．１３）を用いてしか取出し可能とならないように位置固定可能である、請求項１から９までのいずれか１項記載の枠組。
【請求項１１】
前記絶縁プロファイル（９）内に少なくとも３つのバスバー（１０）が埋め込まれているか、または少なくとも３つの接続線路（１６）が設けられており、該バスバー（１０）または接続線路（１６）を用いて少なくとも２つの別個の供給電流回路が形成されている、請求項１から１０までのいずれか１項記載の枠組。
【請求項１２】
挿入されたインサート（７）の数が種々の電流回路に分配されているか、または分配可能である、請求項１１記載の枠組。
【請求項１３】
電化ストリップ（６０）の長手方向におけるインサート（７）の寸法が、１つの高さ単位またはその整数倍に相当しており、インサート（７）が、１つまたは複数の器具コネクタプラグを収容するために形成されている、請求項１から１２までのいずれか１項記載の枠組。
【請求項１４】
収容プロファイル（６）が少なくとも一方の長辺側に、少なくとも１つの枠辺部（２，３）またはマウンティングプロファイル（４，５）との結合のための固定エレメントを備えている、請求項１から１３までのいずれか１項記載の枠組。
【請求項１５】
前記固定エレメントが、ねじ結合、クリップ結合、係止結合、差込み結合またはクランプ結合のために形成されている、請求項１４記載の枠組。
【請求項１６】
収容プロファイル（６）が横断面Ｈ形に形成されていて、２つの側壁（６．１）と１つのセンタ壁（６．４）とを備えており、インサート（７）が、前記センタ壁（６．４）の、使用者に向けられた側で前記中空室（６．３）内に挿入されており、使用者とは反対の側の中空室（６．３′）内にはバスバー（１０）または接続線路（１６）が持ち込まれていて、前記センタ壁（６．４）を通じて接近可能である、請求項１から１５までのいずれか１項記載の枠組。
【請求項１７】
前記センタ壁（６．４）に切欠きが設けられており、該切欠き内に、使用者側から接近可能な感電防止されたコネクタカップリング（１１）が挿入されており、インサート（７）の、使用者側とは反対の後側に、前記コネクタカップリング（１１）に適合された少なくとも１つのコネクタユニットが配置されている、請求項１６記載の枠組。
【請求項１８】
インサート（７）１つ当たり２つの、収容プロファイル（６）の長手方向で互いに間隔を置いて配置されたコネクタカップリング（１１）が設けられており、該コネクタカップリング（１１）が種々の電源装置（７．４，７．５）に接続されており、インサート（７）が、両電源装置（７．４，７．５）のいずれか一方を選択するために該インサートの後側から、１８０゜だけ回転させられた２つの位置で収容プロファイル（６）内に挿入可能であって、当該コネクタカップリング（１１）と結合可能である、請求項１７記載の枠組。
【請求項１９】
インサート（７）がモジュールハウジングを有しており、該モジュールハウジングが、該モジュールハウジングの長手方向で互いに間隔を置いて配置された小幅辺側に挿入された、端面側のキャップ状の閉鎖部材（７．３）を備えており、該閉鎖部材（７．３）に側方で係止エレメント（７．１４）が一体成形されており、該係止エレメント（７．１４）が、ばね弾性的な係止フィンガおよび係止解除のための操作エレメント（７．１３）と一体に形成されている、請求項１から１８までのいずれか１項記載の枠組。
【請求項２０】
インサート（７）に自動遮断器が組み込まれている、請求項１から１９までのいずれか１項記載の枠組。
【請求項２１】
収容プロファイル（６）の一方の端区分に、電源装置（７．４，７．５）のための感電防止式に形成された少なくとも１つの供給カップリング（１２）が配置されており、該供給カップリング（１２）に適合された供給コネクタプラグ（１３）が設けられており、該供給コネクタプラグ（１３）が、該供給コネクタプラグ（１３）に接続された供給ケーブル（１４）を備えている、請求項１から２０までのいずれか１項記載の枠組。
【請求項２２】
前記供給カップリング（１２）が供給モジュール（１５）に取り付けられているか、または供給モジュール（１５）内に形成されており、該供給モジュール（１５）内に電圧変換または電圧整合のための回路網部分、電流制限部および／または個々のインサート（７）をシーケンシャルに作動させるための切換器具が組み込まれている、請求項２１記載の枠組。
【請求項２３】
請求項１の特徴部に記載の構造を有するラックまたはエンクロージャに用いられる電化装置。
【請求項２４】
当該電化装置が、請求項２から２２までのいずれか１項記載の構成を有している、請求項２３記載の電化装置。
【発明の詳細な説明】
【技術分野】
【０００１】
本発明は、ラックまたはエンクロージャに用いられる枠組であって、少なくとも１つの枠辺部またはマウンティングプロファイル（Montageprofil）、つまり異形成形された組付け部材と組み合わされた電化装置が設けられていて、該電化装置が、該電化装置に接続可能な器具に対して電流を供給しかつ／または導出するために働く形式のものに関する。
【０００２】
このような形式の枠組は、ドイツ連邦共和国特許出願公開第３７０６７９７号明細書に記載されている。この公知の枠組では、中空の鉛直方向ビームと、これらの鉛直方向ビームにブラケット通路を介して接続された、前記鉛直方向ビームと同じプロファイル横断面の中空の水平方向ビームとが設けられている。この枠組では、鉛直方向ビームの中空室と水平方向ビームの中空室とが、これらの中空室内に敷設された電流ケーブルを案内するためにできるだけ多くのケーブル案内スペースを提供することが望ましい。他方において、他ならぬエンクロージャ、ラックまたはテーブル架台を備えた情報技術のためのワークプレイスシステムのための枠組においては、枠辺部の容積をできるだけ小さく形成すると同時に、できるだけ高い安定性を達成し、かつたとえばエンクロージャの場合に内室をできるだけ制限されることなく組込み器具のために利用することが目標とされている。
【０００３】
ドイツ連邦共和国特許出願公開第４０１３３７０号明細書に開示されているように、電気的な設備技術の領域には、カバーを備えたケーブル通路が存在している。これらのケーブル通路内には、長手方向で絶縁部内に埋め込まれたバスバーが案内されている。この配置には、設備バーとコンタクティング可能な設備器具がスナップオン式に係止可能である。
【０００４】
エンクロージャのための種々の枠組、すなわちとりわけ情報技術的な器具に用いられるエンクロージャのための種々の枠組が、ドイツ連邦共和国特許出願公開第３３４４５９８号明細書、ドイツ連邦共和国特許出願公開第４４３９５５１号明細書およびドイツ連邦共和国特許出願公開第１９６４７８１４号明細書に開示されており、この場合、枠辺部は単純な種々の組付け可能性ならびに並設またはシールの点で最適化されている。
【０００５】
本発明の根底を成す課題は、冒頭で述べた形式の枠組を改良して、できるだけ僅かな手間をかけるだけで、電気供給されるべき器具のための改善された組込み可能性が提供されるような枠組を提供し、かつ枠組内に簡単に組み込まれ得る電化装置を提供することである。
【０００６】
この課題は請求項１の特徴部に記載の特徴により解決される。本発明の構成では、電化装置が、枠辺部またはマウンティングプロファイルに取り付けられた少なくとも１つの別個の電化ストリップを有しており、該電化ストリップが、少なくとも１つの長辺側で所定の区分毎に開いた中空の収容プロファイル（Aufnahmeprofil）、つまり異形成形された収容部材から形成されており、該収容プロファイルに設けられた、少なくとも１つの中空室内にバスバーまたは接続線路が感電防止されて導入されており、さらに前記電化ストリップ内に挿入されたか、または挿入可能であるインサートが設けられており、該インサートが、接続したい器具の器具コネクタプラグのための感電防止されたプラグソケットと、前記バスバーまたは接続線路と電気的にコンタクトさせられたか、またはコンタクト可能であるコンタクトエレメントとを有している。
【０００７】
電化装置のこのような構成を用いると、手間のかかるケーブル案内なしに、枠組内部に収容されているか、または枠組に取り付けられている電気的な器具の、容易に接近可能な規定の接続可能性が得られる。この場合、電化ストリップを容易に後装備させることもでき、そして使用者の要求に応じて適当なインサートを用いて予め大量生産することもできる。電化ストリップは、たとえばフレームに配置されたドアの内側にも取り付けられ得る。電化ストリップと別の大量生産品との交換が簡単かつ廉価に可能となる。電化装置の中央の構成要素は保護規定の維持下に設定されているので、不正の電気設備および電流案内部分の過負荷も防止されている。
【０００８】
本発明の有利な構成では、前記収容プロファイルの前記少なくとも１つの中空室内に絶縁プロファイル（Isolierprofil）、つまり異形成形された絶縁部材が挿入されており、該絶縁プロファイル内にバスバーが埋め込まれており、該バスバーが、前記絶縁プロファイルに形成された接近開口を介して感電防止されて接近可能である。
【０００９】
また、前記中空室が横断面方形または横断面正方形に成形されていて、開いた長辺側に向かい合って位置するベース壁と、該ベース壁に隣接した両側壁とを有しており、前記絶縁プロファイルの、バスバーを埋め込んだ基部区分の基面が、前記ベース壁または一方の側壁に向けられており、バスバーが、前記基部区分で前記基面とは反対の側に導入された、感電防止のために小幅に形成された接近開口を介してコンタクトエレメントとコンタクト可能であることにより、簡単な操作および対人保護手段が助成される。
【００１０】
製作のためにも好都合な構造を得るためには次のような手段が役立つ。すなわち、前記絶縁プロファイルが、該絶縁プロファイルに配置された係止構造体と、該係止構造体に対して相補的な、前記収容プロファイルに配置された係止対応構造体とによって前記収容プロファイル内に固定されている。
【００１１】
不正な使用を防止するためには、次のような手段が有利である。すなわち、前記係止構造体および前記係止対応構造体が、挿入方向とは反対の方向に急峻な勾配を有する係止フランクもしくは係止面を有していて、前記絶縁プロファイルが破壊なしには取出し不可能である。
【００１２】
組付けおよび安全な構造はさらに、前記絶縁プロファイルが、互いに絶縁された複数の長手方向室内にバスバーを収容する絶縁プロファイル下側部分と、バスバーをカバーする、前記接近開口を有する絶縁プロファイル上側部分とから組み立てられていることによって促進される。
【００１３】
信頼性の良い感電防止およびインサートの一義的な配置形式は、前記接近開口が、インサート１つ当たり、それぞれ別個のバスバーに対応する少なくとも２つの孔状の接近開口のグループから形成されていることによって促進される。
【００１４】
さらに、少なくとも２つの接近開口が、前記絶縁プロファイルの長手方向で互いにずらされていることにより、インサートの一義的な配置形式が促進される。
【００１５】
インサートのコンタクティングおよび構成のためには、さらに次のような手段が有利である。すなわち、コンタクトエレメントが、前記接近開口の大きなおよび位置に適合されたコンタクトピンとして形成されている。
【００１６】
簡単な組付けのためには、次のような手段が役立つ。すなわち、インサートが係止エレメントを備えており、該係止エレメントを用いてインサートが、前記収容プロファイルまたは前記絶縁プロファイルに形成された係止対応エレメント内に、破壊なしには取出し不可能となるように、あるいは工具または当該係止結合を解除する操作部を用いてしか取出し可能とならないように位置固定可能である。
【００１７】
前記絶縁プロファイル内に少なくとも３つのバスバーが埋め込まれており、該バスバーを用いて少なくとも２つの別個の供給電流回路が形成されていると、たとえば標準電源装置の故障時に、たとえば網から、標準電源装置から無停電電源装置（unterbrechungsfrei. Stromversorgung）への移行を行うことができる。択一的には、挿入されたインサートの数が種々の電流回路に分割されていることによって、過負荷を回避するためにも別個の供給回路を使用することができる。たとえば真ん中に位置するバスバーがアースバー（Masseschiene）として形成され、そして両脇に並んで位置するバスバーに比べて、より強力に設計されているか、またはより高い位置あるいはより低い位置に配置されていてもよい。たとえば３つの相に対応するバスバーを用いて、中央のアースバーを備えた３つの標準電流回路を形成することができる。
【００１８】
標準化された組込み器具の接続のために好都合となる構成は、電化ストリップの長手方向におけるインサートの寸法が、１つの高さ単位またはその整数倍に相当しており、インサートが、１つまたは複数の器具コネクタプラグを収容するために形成されていることにある。
【００１９】
たとえば、枠辺部のパターニング（Rasterung）を、電化ストリップのパターニングまたはマーキングに対して相対的に利用することができるような簡単な一義的な組付けは、収容プロファイルが少なくとも一方の長辺側に、少なくとも１つの枠辺部またはマウンティングプロファイルとの結合のための固定エレメントを備えていることにある。この場合、前記固定エレメントが、ねじ結合、クリップ結合、係止結合、差込み結合またはクランプ結合のために形成されていることにより、種々の有利な構成手段が得られる。
【００２０】
収容プロファイルが横断面Ｈ形に形成されていて、２つの側壁と１つのセンタ壁とを備えており、インサートが、前記センタ壁の、使用者に向けられた側で前記中空室内に挿入されており、使用者とは反対の側の中空室内にはバスバーまたは接続線路が持ち込まれていて、前記センタ壁を通じて接近可能であることにより、枠組における配置の際の好都合な取扱いが得られる。
【００２１】
一義的な配置を有する簡単な組付けのためには次のような手段が役立つ。すなわち、前記センタ壁に切欠きが設けられており、該切欠き内に、使用者側から接近可能な感電防止されたコネクタカップリングが挿入されており、インサートの、使用者側とは反対の後側に、前記コネクタカップリングに適合された少なくとも１つのコネクタユニットが配置されている。
【００２２】
インサート１つ当たり２つの、収容プロファイルの長手方向で互いに間隔を置いて配置されたコネクタカップリングが設けられており、該コネクタカップリングが種々の電流供給装置、つまり電源装置に接続されており、インサートが、両電源装置のいずれか一方の電源装置を選択するために該インサートの後側から、１８０゜だけ回転させられた２つの位置で収容プロファイル内に挿入可能であって、当該コネクタカップリングと結合可能であることにより、種々異なる電源装置の簡単な使用が達成される。たとえば、これによって使用者は簡単に標準電源装置または無停電電源装置を設定することができる。
【００２３】
さらに、簡単な操作を有する有利な構造は、インサートがモジュールハウジングを有しており、該モジュールハウジングが、該モジュールハウジングの長手方向で互いに間隔を置いて配置された小幅辺側に挿入された、端面側のキャップ状の閉鎖部材を備えており、該閉鎖部材に側方で係止エレメントが一体成形されており、該係止エレメントが、ばね弾性的な係止フィンガおよび係止解除のための操作エレメントと一体に形成されていることにある。
【００２４】
さらに、インサートに自動遮断器が組み込まれていることにより、使用が促進される。
【００２５】
電化装置の接続のためには、さらに次のような手段が有利である。すなわち、収容プロファイルの一方の端区分に、電源装置のための感電防止式に形成された少なくとも１つの供給カップリングが配置されており、該供給カップリングに適合された供給コネクタプラグが設けられており、該供給コネクタプラグが、該供給コネクタプラグに接続された供給ケーブルを備えている。
【００２６】
機能および使用のためのさらに別の有利な構成は、前記供給カップリングが供給モジュールに取り付けられているか、または供給モジュール内に形成されており、該供給モジュール内に電圧変換または電圧整合のための回路網部分、電流制限部および／または個々のインサートをシーケンシャルに作動させるための切換器具が組み込まれていることにある。
【００２７】
ラックまたはエンクロージャに用いられる電化装置が、請求項１の特徴部に記載の特徴を有する構造を持って形成されていることにより、有利な組込みが提供される。
【００２８】
この場合、有利な構成は、請求項２〜請求項２２に記載の構成にある。
【００２９】
以下に、本発明の実施例を図面につき詳しく説明する。
【００３０】
図１は、枠組と、この枠組に組み込まれたマウンティングプロファイルと、鉛直方向の電化ストリップとを示す概略的な斜視図であり、
図２は、図１に相応してエンクロージャ枠組の鉛直方向のマウンティングプロファイルに沿ってドア縁部の背後に組み付けられた電化ストリップを示す斜視図であり、
図３は、組み付けられたドアと、鉛直方向のマウンティングプロファイルに沿って組み付けられた電化ストリップとを備えたエンクロージャの別の枠組を示す、図２に対して後側から見た斜視図であり、
図４Ａは、挿入された絶縁プロファイルとインサートとを備えた電化ストリップの一部を示す斜視図であり、
図４Ｂは、図４Ａに示した電化ストリップの収容プロファイルの横断面図であり、
図４Ｃは、嵌め込まれたバスバーを備えた絶縁プロファイルの下側部分を示す斜視図であり、
図４Ｄは、絶縁プロファイルの、絶縁プロファイル下側部分と絶縁プロファイル上側部分とから組み立てられた区分を示す斜視図であり、
図５Ａは、インサート下側部分を示す概略図であり、
図５Ｂは、図５Ａに示したインサート下側部分を９０゜だけ回転させた側から見た概略図であり、
図５Ｃは、インサート下側部分とインサート上側部分とから組み立てられたインサートを示す斜視図であり、
図６は、電化ストリップの別の実施例を示す断面図であり、
図７Ａは、絶縁プロファイルと、この絶縁プロファイル内に挿入されるべきインサートとのための別の実施例を示す分解斜視図であり、
図７Ｂは、図７Ａに示した絶縁プロファイルとインサートとを備えた別の電化ストリップの一部を示す分解斜視図であり、
図７Ｃは、図７Ｂに示した電化ストリップを組み立てられた状態で示す斜視図であり、
図８Ａは、挿入されたインサートを備えた別の電化ストリップの一部を示す斜視図であり、
図８Ｂは、図８Ａに示した電化ストリップを、インサートが取り外された状態で示す斜視図であり、
図９は、図８Ａおよび図８Ｂに示した電化ストリップの一部を電流供給部の範囲で示す斜視図であり、
図１０は、特に図８Ａ〜図９に示した電化装置の接続回路図である。
【００３１】
図１に示した枠組１は、複数の鉛直方向の枠辺部２と、複数の水平方向の枠辺部３とから成っている。この枠組１は、たとえば壁エレメントおよび１つまたは複数のドアエレメント８（図２および図３参照）によって補填されて１つのスイッチキャビネット、つまりエンクロージャを形成することができる。枠組１は、たとえば情報技術的な器具を収容することができる。枠組１の内部は鉛直方向および水平方向のマウンティングプロファイル４，５、つまり異形成形された組付け部材ならびに鉛直方向のマウンティングプロファイル４に沿って組み付けられた電化ストリップ６０を備えている。この電化ストリップ６０は、たとえばマウンティングプロファイル４にクランプ、ねじ、クリップ、ロックエレメントまたは差込みエレメント（図示しない）によって、鉛直方向のマウンティングプロファイル４の側方に組み付けられている。図２および図３に示したように、電化ストリップ６０はこの配置形式では、鉛直方向のドア縁部によって好都合に隠蔽され得る。電化ストリップ６０はこの場合、その下側の区分に、電気的なエネルギ供給のためのコンセント状のインサート７を備えている。電化ストリップ６０の上側の区分には、これらのインサート７のための別の接続手段が設けられている。
【００３２】
図３には、図１および図２に示した電化ストリップ６０を後側から見た図が示されている。電化ストリップ６０は択一的に、鉛直方向または水平方向の１つの枠辺部２，３または水平方向の１つまたは複数の、たとえばマウンティングストリップ５の形のマウンティングプロファイルに、鉛直方向または水平方向に取り付けられていてもよい。また、電化ストリップ６０はドアエレメント８の内側に設けられたドアチューブフレームにも簡単に取付け可能である。
【００３３】
電化ストリップ６０を取り付けるためには、固定エレメント、たとえば溝付レールまたは溝付ナットを挿入するための長手方向に伸びるＴ字形溝、複数の固定用孔から成る孔パターン、ロック手段、クリップまたは差込み手段が設けられている。これらの固定エレメントは、たとえば電化ストリップ６０の１つまたは複数の外面に形成されている。少なくとも１つの枠辺部に沿って延びるＵ字形の収容部がこの枠辺部に一体に形成されていると有利である。この収容部内には、電化ストリップ６０がロック手段によってロックされている。ロック手段はこの場合、電化ストリップ６０の外面に沿って延びる複数の長手方向リブまたは長手方向溝と、収容部の内部に延びる、適合された対応ロック手段とであってよい。
【００３４】
図４Ａに示したように、電化ストリップ６０は、ほぼ横断面Ｕ字形または図６に示したようにほぼ横断面Ｃ字形の外側の収容プロファイル（異形成形された収容部材）６と、この収容プロファイル６内に収容された絶縁プロファイル（異形成形された絶縁部部材）９と、この絶縁プロファイル９内に埋め込まれたバスバー１０とから構成されている。絶縁プロファイル９の基面９．３は収容プロファイル６のベース壁６．２に向けられている。絶縁プロファイル９は、図４Ｄに示したように絶縁プロファイル下側部分９．１と、この絶縁プロファイル下側部分９．１にクリップ装着またはスナップ装着された絶縁プロファイル上側部分９．２とから構成されている。図４Ｃに示したように、絶縁プロファイル下側部分９．１には、長手方向に延びる鉛直な絶縁ウェブによって長手方向に延びる複数のチャンバが形成されており、これらのチャンバ内にバスバー１０が挿入されている。コンタクティングのためには、バスバー１０の、基面９．３とは反対の側に、バスバー１０の方向に延びるコンタクティングスリットを備えた横断面Ｕ字形のコンタクトばね１０．１がレーザ溶接によって固定されている。これらのコンタクトばね１０．１は、前記絶縁ウェブに載置された支持突起１０．１１によって安定化されていてよい。絶縁プロファイル下側部分９．１の外側のウェブの自由縁部は、外側に隆起部状のスナップ縁部９．１１を有している。このスナップ縁部９．１１には、組み立てられた状態において、絶縁プロファイル上側部分９．２に設けられた、対応する外側のウェブの内側で適合された切欠きが被せられ、そしてこのウェブの弾性的な力によって互いに内外に保持される。
【００３５】
絶縁プロファイル上側部分９．２に設けられた側方のウェブの、絶縁プロファイル下側部分９．１に面した下縁部の範囲には、それぞれストリップ状の係止ばね９．２１が一体成形されている。これらの係止ばね９．２１は側方のウェブから間隔を置いてほぼ絶縁プロファイル上側部分９．２の上面の高さにまで案内されており、係止ばね９．２１の自由端部の外側は係止フック９．２２を備えている。収容プロファイル６は、係止フック９．２２と協働する係止対応構造体として働く係止溝６．１１を有している。この係止溝６．１１内には、絶縁プロファイル９が完全に挿入された状態で係止フック９．２２が係合する。挿入方向とは反対の方向で、係止フック９．２２と係止溝６．１１とは急峻な係止フランク（Rastflanke）を備えているので、収容プロファイル６内に係止された絶縁プロファイル９は、破壊することなしには取出し不可能となる。挿入のためには、係止フック９．２２が導入方向でその下面に斜めの係止フランクを備えている。
【００３６】
絶縁プロファイル上側部分９．２の上面は、長手方向に対して直交する横方向でバスバー１０の相互間隔に対応した間隔を置いて配置された、バスバー１０の長手方向に向けられた方形のコンタクティング開口９．２３を有している。これらのコンタクティング開口９．２３内には、バスバー１０とコンタクトされるべき、相応して扁平な横断面方形のコンタクトピン７．１１が係合する。電化ストリップ６０の長手方向において、コンタクティング開口９．２３はコンタクトばね１０．１と、インサート７に配置されたコンタクトピン７．１１（図５Ａ〜図５Ｃ参照）とに対応した間隔を置いて配置されている。コンタクティング開口９．２３とコンタクトピン７．１１とのこのような配置形式を用いて、インサート７のコード化手段が得られる。インサート７を固定するためには、インサート７がインサート下側部分７．１に支承された係止フィンガ７．１４を有している。これらの係止フィンガ７．１４は係止突起を備えており、これらの係止突起は、これらの係止突起に適合された、収容プロファイル６の側壁６．１の内側に配置された溝状の係止対応エレメント６．１２内に係合する。係止フィンガ７．１４の係止突起はやはり挿入方向とは反対の方向に急峻な係止フランクを備えている。これらの係止フランクは係止対応エレメント６．１２に設けられた対応して急峻な係止フランクと協働するので、インサート７は確実に位置固定される。インサート７は、たとえば特殊な工具を用いて取り出すことができる。この工具は係止フィンガ７．１４に設けられたレバー状の操作区分７．１３に作用する。この操作区分７．１３は係止フィンガ７．１４に関して係止フィンガ７．１４の旋回軸線に向かい合って配置されている。図４Ａからさらに判るように、収容プロファイル６の中空室６．３は、この中空室６．３の深さが主として絶縁プロファイル９と、インサート７の、この中空室６．３内へ突入した区分とによって埋められるように設計されている。この場合、インサート上側部分７．２の外方へ向けられた区分の肩部は、収容プロファイル６の上側の縁範囲に設けられた段部に載置されている。
【００３７】
図５Ａ〜図５Ｃからさらに判るように、インサート下側部分７．１はアースばね７．１２、差込みシュー７．１５のような供給コンセントの種々のエレメントおよびたとえば自動安全装置またはブリッジエレメントをも有している。インサート上側部分７．２は、接続されるべきコネクタプラグに相応して配置された差込み開口７．２１を有している。
【００３８】
図６に示した実施例では、埋め込まれたバスバー１０を備えた２つの部分絶縁プロファイル９が、収容プロファイル６の側壁６．１の側方の範囲で、相応して適合された収容区分内に挿入されている。コンタクティング開口９．２３はこの場合、長手方向に延びる小幅の比較的深い溝状のスリットとしてバスバー１０の上側に形成されているので、これによっても、相応する感電防止が得られる。相応して形成されたインサートのコンタクトエレメントのコンタクティングは側方で行なわれ、たとえば挿入過程と、これに続く回転過程によるか、またはインサート７内でのコンタクトエレメントの側方シフトによって行なわれ得る。
【００３９】
図７Ａ〜図７Ｃに示した別の実施例では、絶縁プロファイル９がＵ字形に設計されている。この場合、Ｕ字体の脚部に相当する部分の外面には、係止構造体として長手方向に延びる係止溝９．２２′が形成されている。これらの係止溝９．２２′内には、収容プロファイル６の側壁６．１の内面に対応配置されたリブ状の係止対応構造体６．１１′が、挿入された状態で係合する。この場合にも、挿入方向とは反対の方向に急峻な係止フランクが設けられており、これにより挿入された絶縁プロファイル９の取出しは阻止される。インサート７を位置固定するためには、インサート７の、Ｕ字体の脚部に向けられた外面に溝状の係止エレメント７．１４′が配置されており、Ｕ字体の脚部の対応する内面には、対応する個所で係止対応構造体６．１１′として係止突起が配置されている。この場合、この係止結合部も急峻な係止フランクを有しており、これによりインサート７の容易な取出しは阻止される。
【００４０】
インサート７は電化ストリップ６０の長手方向で、１高さ単位に相当する寸法を有していると有利である。インサート７は、データ線路として形成されたか、またはデータ線路として使用されるバスバー１０のコンタクティングのためにも設計されていてよい。電流供給の場合にインサート７は規格に対応して、たとえば冷凍器具差込み結合のための汎用の差込みユニットもしくはコンセントとして設計されている。コンタクトピン７．１１は、図７Ａ〜図７Ｃの実施例では横断面円形のコンタクトピンとして形成されており、そしてコンタクティング開口９．２３も円形の開口として設計されている。
【００４１】
バスバー１０を用いて、複数の電流回路を形成することができる。この場合、たとえば枠組１の上側からは標準電流供給が設定されており、下側からは無停電電流供給が設定されている。必要に応じて、この無停電電流供給への切換を行うことができる。また、交流電流網の３相を用いて、たとえば５つのバスバー１０（これらのうちの１つは中央で真ん中のアースバーとして配置されている）によって３つの別個の電流回路を形成することも考えられる。その場合、これらの電流回路はそれぞれ適当な数のインサート７に対応しているので、過度に高い負荷が回避される。インサート７はこの場合、工場側で相応して接続されていてよい。顧客の希望に応えて、適当に予め大量生産された電化ストリップ６０を製造することができる。また、あとから適当に装備された電化ストリップ６０を後装備することもできる。
【００４２】
図８Ａ、図８Ｂおよび図９に示した実施例では、収容プロファイル６（電化ストリップ）が横断面Ｈ形に形成されている。この収容プロファイル６はセンタ壁６．４の、使用者に向けられた前側に中空室６．３を、使用者とは反対の後側に別の中空室６．５をそれぞれ有している。規格化された器具コネクタプラグのための複数の差込み開口、この場合には６つの差込み開口を有しているインサート７は、中空室６．３内に着脱可能に挿入可能であり、単純な接続ケーブルまたは接続線材あるいはまたバスバー１０から成っていてよい接続線路１６（図１０参照）は前記別の中空室６．５内に敷設されている。別の中空室６．５を仕切る側壁６．１の内面には、この側壁６．１の自由な縁範囲で長手方向に延びる収容溝６．６が形成されており、これらの収容溝６．６内にはカバーが押込み可能である。枠組１またはキャビネット壁もしくはドアまたはマウンティングプレートにおける組付けのためには、このカバーを予め枠辺部もしくは壁面から小さな間隔を置いて組み付け、そして収容プロファイル６の収容溝６．６を被せ嵌めるか、あるいはまたスナップ装着することができる。インサート７を係止するための係止対応エレメント６．１２は、中空室６．３を仕切る側壁６．１の内面の自由な端範囲に形成されていて、本実施例ではやはり長手方向溝の形で存在している。
【００４３】
内部で接続された、差込み開口７．２１を介して感電防止されて接近可能となるコンタクトエレメント７．１１を備えたインサート７は、直方体形のモジュールハウジングを有している。これらのモジュールハウジングの、長手方向で互いに間隔を置いて配置された小幅辺側は、端面キャップの形の端面側の閉鎖部材７．３を用いて閉鎖されている。たとえば安全装置付プラグ（Schukostecker）、冷凍器具プラグまたは種々異なる国際規格のための種々の汎用の差込み開口７．２１を備えたインサート７が設けられている。閉鎖部材７．３には、側方でばね弾性的な係止フィンガが一体成形されており、この係止フィンガは各係止エレメント７．１４と、マニュアル式に操作可能な操作区分７．１３とを備えている。インサート７は使用者とは反対の側の後側に少なくとも１つのコネクタユニットを備えており、このコネクタユニットは、センタ壁６．４に設けられた切欠き内に挿入された感電防止されたコネクタカップリング（Steckerkupplung）１１に適合されていて、これらのコネクタカップリング１１でコンタクティング可能である。インサート７もしくはモジュールハウジング１個当たり２つのコネクタカップリング１１が設けられている。これらのコネクタカップリング１１は種々の電源装置７．４，７．５、たとえば標準電源装置７．４および無停電電源装置７．５に接続されている（図１０参照）。各インサート７のための所望の電源装置は、使用者によって簡単に選択することができる。この場合、使用者はインサート７を１８０゜だけ相応して回転させた後にインサート７のコネクタユニットを、対応する電源装置７．４，７．５に対応するコネクタカップリング１１に接続することによって所望の電源装置を選択することができる。
【００４４】
収容プロファイル６の端範囲では、図９に示したように電源装置７．４，７．５に対応する供給カップリング１２がセンタ壁６．４の前側に配置されている。これらの供給カップリング１２はやはり感電防止されて形成されていて、供給ケーブル１４を備えた供給コネクタプラグ１３を介して１つの電源装置に接続可能となる。図１０に示したように、センタ壁６．４に設けられた対応する切欠き内に挿入された、後側で接続線路１６に接続された供給カップリング１２は、供給モジュール１５に組み込まれていてよい。この供給モジュール１５はさらに電圧変換または電圧整合のための回路網部分、電流制限部および／または過負荷防止のための個々のインサート７をシーケンシャルに作動させるための切換器具（接触器）を有していてよい。さらに、供給カップリング１２もしくは電圧供給部もしくは電源装置７．４，７．５は、三相交流網の複数の相を提供する。これらの相には個々のインサート７が分配される。図１０から判るように、たとえばインサートモジュールＰ１は相Ｐ１に接続され、インサートモジュールＰ２は相Ｐ２に接続され、次のインサート（Ｐ３として示す）は相Ｐ３に接続され、そして引き続き再び次のインサートが相Ｐ１に直ちに接続される。
【００４５】
上で説明した電化装置の構造によって、使用者は、たとえばエンクロージャまたはラックにあとからでも電化部を装備するために単純な器具を得る。この場合、使用者は個々のインサートを電流供給モジュールとして適当な個所で困難なしにかつ安全に使用することができる。
【図面の簡単な説明】
【００４６】
【図１】枠組と、この枠組に組み込まれたマウンティングプロファイルと、鉛直方向の電化ストリップとを示す概略的な斜視図である。
【００４７】
【図２】図１に相応してエンクロージャ枠組の鉛直方向のマウンティングプロファイルに沿ってドア縁部の背後に組み付けられた電化ストリップを示す斜視図である。
【００４８】
【図３】組み付けられたドアと、鉛直方向のマウンティングプロファイルに沿って組み付けられた電化ストリップとを備えたエンクロージャの別の枠組を示す、図２に対して後側から見た斜視図である。
【００４９】
【図４Ａ】挿入された絶縁プロファイルとインサートとを備えた電化ストリップの一部を示す斜視図である。
【００５０】
【図４Ｂ】図４Ａに示した電化ストリップの収容プロファイルの横断面図である。
【００５１】
【図４Ｃ】嵌め込まれたバスバーを備えた絶縁プロファイルの下側部分を示す斜視図である。
【００５２】
【図４Ｄ】絶縁プロファイルの、絶縁プロファイル下側部分と絶縁プロファイル上側部分とから組み立てられた区分を示す斜視図である。
【００５３】
【図５Ａ】インサート下側部分を示す概略図である。
【００５４】
【図５Ｂ】図５Ａに示したインサート下側部分を９０゜だけ回転させた側から見た概略図である。
【００５５】
【図５Ｃ】インサート下側部分とインサート上側部分とから組み立てられたインサートを示す斜視図である。
【００５６】
【図６】電化ストリップの別の実施例を示す断面図である。
【００５７】
【図７Ａ】絶縁プロファイルと、この絶縁プロファイル内に挿入されるべきインサートとのための別の実施例を示す分解斜視図である。
【００５８】
【図７Ｂ】図７Ａに示した絶縁プロファイルとインサートとを備えた別の電化ストリップの一部を示す分解斜視図である。
【００５９】
【図７Ｃ】図７Ｂに示した電化ストリップを組み立てられた状態で示す斜視図である。
【００６０】
【図８Ａ】挿入されたインサートを備えた別の電化ストリップの一部を示す斜視図である。
【００６１】
【図８Ｂ】図８Ａに示した電化ストリップを、インサートが取り外された状態で示す斜視図である。
【００６２】
【図９】図８Ａおよび図８Ｂに示した電化ストリップの一部を電流供給部の範囲で示す斜視図である。
【００６３】
【図１０】特に図８Ａ〜図９に示した電化装置の接続回路図である。
【図１】
2006512889.tif 000003
【図２】
2006512889.tif 000004
【図３】
2006512889.tif 000005
2006512889.tif 000006
2006512889.tif 000007
【図６】
2006512889.tif 000008
2006512889.tif 000009
2006512889.tif 000010
【図９】
2006512889.tif 000011
【図１０】
2006512889.tif 000012
【国際調査報告】
2006512889.tif 000013
2006512889.tif 000014
2006512889.tif 000015
2006512889.tif 000016